(57)【要約】【課題】夏場は、日除け用垂れ片を日除け状態として使用し、冬場は、防寒用垂れ片のみを垂下させた防寒状態にて使用することにより、年中使用することができる帽子を提供する。【解決手段】帽子本体１と、日除け用垂れ片２と、防寒用垂れ片３とを備える。日除け用垂れ片２は、左垂れ半片４と右垂れ半片５を連結分離機構Ｙによって連結した日除け状態と、連結分離機構Ｙによって分離して、帽子本体１の左収納開口部・右収納開口部から差込んで収納した収納状態に、切替自在に構成する。【選択図】図１
2015048542.tif 000002
【特許請求の範囲】
【請求項１】
帽子本体（１）と、日除け用垂れ片（２）と、防寒用垂れ片（３）とを備え、上記日除け用垂れ片（２）は、左垂れ半片（４）と右垂れ半片（５）を連結分離機構（Ｙ）によって連結した日除け状態と、上記連結分離機構（Ｙ）によって分離して、上記帽子本体（１）の左収納開口部（６）・右収納開口部（７）から差込んで収納した収納状態に、切替自在に構成したことを特徴とする帽子。
【請求項２】
上記帽子本体（１）の後部下縁に第１切欠部（11）を形成し、かつ、上記防寒用垂れ片（３）の後部上縁に第２切欠部（12）を形成して、上記防寒用垂れ片（３）のみを垂下させた防寒状態に於て、上記第１切欠部（11）と第２切欠部（12）によって後方窓部（14）が形成される請求項１記載の帽子。
【請求項３】
上記日除け用垂れ片（２）の後部上縁に第３切欠部（13）を形成して、上記日除け状態に於て、上記第１切欠部（11）と第２切欠部（12）と第３切欠部（13）によって後方窓部（14）が形成される請求項２記載の帽子。
【請求項４】
上記後方窓部（14）を左右連繋する弾性紐（15）を付設し、かつ、該弾性紐（15）の長さを調整する長さ調整具（16）を付設した請求項２又は３記載の帽子。
【請求項５】
上記防寒用垂れ片（３）を外側に、上記日除け用垂れ片（２）を内側に、配設し、かつ、上記日除け用垂れ片（２）の垂下長さ（Ｌ２）を上記防寒用垂れ片（３）の垂下長さ（Ｌ３）よりも長く設定した請求項１，２又は３記載の帽子。
【発明の詳細な説明】
【技術分野】
【０００１】
本発明は、帽子に関する。
【背景技術】
【０００２】
本出願人は、既に、身体保護片を有する帽子であって、身体保護片を使用状態又は収納状態として使用することができる帽子を提案した（例えば、特許文献１参照）。
【０００３】
しかし、身体保護片は、ひとつの帽子に１種類のみ設けられているので、夏場と冬場に兼用することができなかった。また、身体保護片が後方縁から左右側縁にわたる範囲に設けられている場合、身体保護片を収納しにくいという欠点があった。
【先行技術文献】
【特許文献】
【０００４】
【特許文献１】特開平２０１０−２４５６３号公報
【発明の概要】
【発明が解決しようとする課題】
【０００５】
解決しようとする課題は、夏場と冬場に兼用することができない点である。また、後方縁から左右側縁にわたる範囲に設けられた身体保護片を容易に収納することができない点である。
【課題を解決するための手段】
【０００６】
そこで、本発明に係る帽子は、帽子本体と、日除け用垂れ片と、防寒用垂れ片とを備え、上記日除け用垂れ片は、左垂れ半片と右垂れ半片を連結分離機構によって連結した日除け状態と、上記連結分離機構によって分離して、上記帽子本体の左収納開口部・右収納開口部から差込んで収納した収納状態に、切替自在に構成したものである。
【０００７】
また、上記帽子本体の後部下縁に第１切欠部を形成し、かつ、上記防寒用垂れ片の後部上縁に第２切欠部を形成して、上記防寒用垂れ片のみを垂下させた防寒状態に於て、上記第１切欠部と第２切欠部によって後方窓部が形成されるものである。
また、上記日除け用垂れ片の後部上縁に第３切欠部を形成して、上記日除け状態に於て、上記第１切欠部と第２切欠部と第３切欠部によって後方窓部が形成されるものである。
また、上記後方窓部を左右連繋する弾性紐を付設し、かつ、該弾性紐の長さを調整する長さ調整具を付設したものである。
また、上記防寒用垂れ片を外側に、上記日除け用垂れ片を内側に、配設し、かつ、上記日除け用垂れ片の垂下長さを上記防寒用垂れ片の垂下長さよりも長く設定したものである。
【発明の効果】
【０００８】
本発明の帽子によれば、夏場と冬場に兼用することができる。すなわち、夏場は、日除け用垂れ片を日除け状態として使用し、冬場は、防寒用垂れ片のみを垂下させた防寒状態にて使用することにより、年中使用することができる。さらに、登山の場合に好適である。すなわち、夏場の富士山のように、高度が低い位置では暑く、高度が高くなる位置では寒い場合にも、それぞれに適した使用状態として用いることができる。また、後方縁から左右側縁にわたる範囲に設けられた日除け用垂れ片を容易に収納することができる。
【図面の簡単な説明】
【０００９】
【図１】日除け状態での使用状態を示す斜視図である。
【図２】防寒状態での使用状態を示す斜視図である。
【図３】日除け状態の背面図である。
【図４】連結分離機構によって左垂れ半片と右垂れ半片を分離した状態を示す背面図である。
【図５】左垂れ半片と右垂れ半片の収納状態を示す底面図である。
【図６】左垂れ半片と右垂れ半片の収納状態とするとともに、防寒用垂れ片を不使用状態とした背面図である。
【図７】防寒状態の側面図である。
【図８】図７のＡ−Ａ断面端面図である。
【図９】防寒状態の背面図である。
【図１０】日除け状態の背面図である。
【発明を実施するための形態】
【００１０】
以下、図示の実施の形態に基づいて本発明を詳説する。
図１・図２は、本発明の実施の一形態の使用状態を示す。具体的には、図１は、日除け状態での使用状態を示す。図２は、防寒状態での使用状態を示す。この帽子は、帽子本体１と、日除け用垂れ片２と、防寒用垂れ片３とを備える。帽子本体１は、例えば、紫外線遮蔽性や防水性を備えた布から成るのが好ましい。日除け用垂れ片２は、例えば、紫外線遮蔽布や細かいメッシュ等から成る。防寒用垂れ片３は、例えば、フリースやニット等から成る。髪の長い女性が着用する場合、後方窓部14から束ねた髪（ポニーテール等）Ｘを出すことができる。
【００１１】
日除け用垂れ片２は、左垂れ半片４と右垂れ半片５を連結分離機構Ｙによって連結した日除け状態（図３参照）と、連結分離機構Ｙによって分離して（図４参照）、帽子本体１の左収納開口部６・右収納開口部７から差込んで収納した収納状態（図５・図６参照）に、切替自在に構成される。連結分離機構Ｙはファスナーから成る。
【００１２】
収納状態について、さらに詳しく説明する。図５・図７・図８に示すように、帽子本体１は、外布体８と内布体９から成る収納部10を有する。左垂れ半片４は左収納開口部６の下縁６ａに縫着され、右垂れ半片５は右収納開口部７の下縁７ａに縫着されている。左垂れ半片４及び右垂れ半片５がくしゅくしゅと折り曲げられて収納部10に収納される。収納部10は、左右分離していても、左右連結状であっても良い。左収納開口部６・右収納開口部７は、面状ファスナー17によって一部又は全部を閉口される。図５に示すように、防寒用垂れ片３が外側に、日除け用垂れ片２が内側に、配設される。
【００１３】
図９に示すように、帽子本体１の後部下縁に第１切欠部11が形成され、かつ、防寒用垂れ片３の後部上縁に第２切欠部12が形成される。防寒用垂れ片３のみを垂下させた防寒状態に於て、第１切欠部11と第２切欠部12によって後方窓部14が形成される。
【００１４】
図10に示すように、日除け用垂れ片２の後部上縁に第３切欠部13が形成される。日除け状態に於て、第１切欠部11と第２切欠部12と第３切欠部13によって後方窓部14が形成される。なお、防寒用垂れ片３は、帽子本体１の左側面と後面と右側面に渡って（連続して）形成されている。
【００１５】
図９・図10に示すように、日除け用垂れ片２の垂下長さＬ２が防寒用垂れ片３の垂下長さＬ３よりも長く設定される。このとき、十分に日除けすることができる。日除け用垂れ片２の垂下長さＬ２が、防寒用垂れ片３の垂下長さＬ３と同じ、又は、防寒用垂れ片３の垂下長さＬ３よりも短いと、十分に日除けすることができない。
【００１６】
図３〜図６・図９・図10に示すように、後方窓部14を左右連繋する弾性紐15が付設される。弾性紐15の長さを調整する長さ調整具16が付設される。図３〜図６・図９は、弾性紐15の長さを短くした場合を示す。図10は、弾性紐15の長さを長くした場合を示す。
【００１７】
なお、本発明は、設計変更可能であって、例えば、連結分離機構Ｙが、面状ファスナー、ボタン等から成るも良い。また、日除け用垂れ片２の垂下長さＬ２を、首部を覆う程度まで長く設定するも好ましい。
【００１８】
以上のように、本発明は、帽子本体１と、日除け用垂れ片２と、防寒用垂れ片３とを備え、日除け用垂れ片２は、左垂れ半片４と右垂れ半片５を連結分離機構Ｙによって連結した日除け状態と、連結分離機構Ｙによって分離して、帽子本体１の左収納開口部６・右収納開口部７から差込んで収納した収納状態に、切替自在に構成したので、夏場と冬場に兼用することができる。すなわち、夏場は、日除け用垂れ片２を日除け状態として使用し、冬場は、防寒用垂れ片３のみを垂下させた防寒状態にて使用することにより、年中使用することができる。さらに、登山の場合に好適である。すなわち、高度が低い位置では暑く、高度が高くなる位置では寒い場合にも、それぞれに適した使用状態として用いることができる。また、後方縁から左右側縁にわたる範囲に設けられた日除け用垂れ片２を左垂れ半片４と右垂れ半片５に分離して、容易に（収納部10に）収納することができる。また、後頭部への日差しを十分に日除けすることができる。
【００１９】
また、帽子本体１の後部下縁に第１切欠部11を形成し、かつ、防寒用垂れ片３の後部上縁に第２切欠部12を形成して、防寒用垂れ片３のみを垂下させた防寒状態に於て、第１切欠部11と第２切欠部12によって後方窓部14が形成されるので、防寒状態に於ける帽子着用の際、髪の長い女性が、後方窓部14からポニーテール等を出すことができる。
また、日除け用垂れ片２の後部上縁に第３切欠部13を形成して、日除け状態に於て、第１切欠部11と第２切欠部12と第３切欠部13によって後方窓部14が形成されるので、日除け状態に於ける帽子着用の際、髪の長い女性が、後方窓部14からポニーテール等を出すことができる。また、第３切欠部13によって、日除け用垂れ片２が皺になりにくく、見栄えが良い。さらに、第３切欠部13によって、連結分離機構Ｙの連結・分離作業を容易に行なうことができる。
【００２０】
また、後方窓部14を左右連繋する弾性紐15を付設し、かつ、弾性紐15の長さを調整する長さ調整具16を付設したので、帽子の周囲長さを調節して適切な着用状態とすることができ至便である。
また、防寒用垂れ片３を外側に、日除け用垂れ片２を内側に、配設し、かつ、日除け用垂れ片２の垂下長さＬ２を防寒用垂れ片３の垂下長さＬ３よりも長く設定したので、左収納開口部６及び右収納開口部７が内側に開口することとなり、外観が良い。また、十分に日除けすることができる。
【符号の説明】
【００２１】
１  帽子本体
２  日除け用垂れ片
３  防寒用垂れ片
４  左垂れ半片
５  右垂れ半片
６  左収納開口部
７  右収納開口部
11  第１切欠部
12  第２切欠部
13  第３切欠部
14  後方窓部
15  弾性紐
16  長さ調整具
Ｌ２  垂下長さ
Ｌ３  垂下長さ
Ｙ  連結分離機構
【図１】
2015048542.tif 000003
【図２】
2015048542.tif 000004
【図３】
2015048542.tif 000005
【図４】
2015048542.tif 000006
【図５】
2015048542.tif 000007
【図６】
2015048542.tif 000008
【図７】
2015048542.tif 000009
【図８】
2015048542.tif 000010
【図９】
2015048542.tif 000011
【図１０】
2015048542.tif 000012